(57)【特許請求の範囲】
【請求項１】
交換機が収容する複数の加入者端末の同時オフフック数を集計し、
複数の加入者端末の同時オフフック数が予め定められた第１の閾値を越えている場合、加入者端末に供給する通話電流の制限を行い、
前記交換機内の複数の加入者回路は、共通の電力供給部から電力供給を受け、対応する複数の加入者端末に通話電流をそれぞれ供給し、
前記電力供給部が複数のユニットからなり、該複数のユニットのうち少なくとも１つのユニットに障害発生時、障害ユニットの電力供給量相当分を差し引いた値に対応する通話電流を、加入者端末に供給する、ことを特徴とする通話電流制御方法。
【請求項２】
通話電流が制限された状態で、複数の加入者端末の同時オフフック数が予め定められた第２の閾値を下回った場合、通話電流の制限を解除する、ことを特徴とする請求項１記載の通話電流制御方法。
【請求項３】
前記第１の閾値は、前記第２の閾値よりも大であるか、又は、前記第２の閾値と等しい、ことを特徴とする請求項２記載の通話電流制御方法。
【請求項４】
加入者端末に供給する通常通話電流のほかに、最大電流が通常通話電流特性よりも小さく設定された特性の通話電流（「最大通話電流制限通話電流」という）を用意しておき、
同時オフフック数が前記第１の閾値を越えている場合、加入者端末に前記最大通話電流制限通話電流を供給する、ことを特徴とする請求項１記載の通話電流制御方法。
【請求項５】
加入者端末に供給する通話電流を、互いに電流値が異なる複数種、用意しておき、
複数の加入者端末の同時オフフック数に応じて、段階的に、通話電流を変更する、ことを特徴とする請求項１記載の通話電流制御方法。
【請求項６】
交換機が収容する複数の加入者端末の同時オフフック数を集計する手段と、複数の加入者端末の同時オフフック数が予め定められた第１の閾値を越えている場合、加入者端末に供給する通話電流の制限を行う手段と、を備えた通話電流制御装置と、
複数の加入者端末に対して通話電流の供給をそれぞれ行う複数の加入者回路と、
前記複数の加入者回路に対して共通に設けられた電力供給部と、
を備え、
前記複数の加入者回路は、前記電力供給部から電力供給を受け、対応する複数の加入者端末に通話電流をそれぞれ供給し、
前記電力供給部が複数のユニットからなり、
前記電力供給部の複数のユニットの障害を検出する手段を備え、
前記電力供給部の少なくとも１つのユニットに障害発生時、
前記加入者回路は、障害ユニットの電力供給量相当分を差し引いた値に対応する通話電流を加入者端末に供給する、ことを特徴とする交換機。
【請求項７】
前記通話電流制御装置は、通話電流が制限されている状態で、複数の加入者端末の同時オフフック数が予め定められた第２の閾値を下回った場合、通話電流の制限を解除する手段を備えている、ことを特徴とする請求項６記載の交換機。
【請求項８】
前記第１の閾値は、前記第２の閾値よりも大であるか、又は、前記第２の閾値と等しい、ことを特徴とする請求項７記載の交換機。
【請求項９】
前記通話電流制御装置において、加入者端末に供給する通常通話電流のほかに、最大電流が通常通話電流特性よりも小さく設定された特性の通話電流（「最大通話電流制限通話電流」という）を用意しておき、同時オフフック数が前記第１の閾値を越えている場合、加入者端末に前記最大通話電流制限通話電流を供給する、ことを特徴とする請求項６記載の交換機。
【請求項１０】
前記通話電流制御装置において、加入者端末に供給する通話電流を、互いに電流値が異なる複数種用意しておき、
複数の加入者端末の同時オフフック数に応じて、段階的に、通話電流を変更する、ことを特徴とする請求項６記載の交換機。
【請求項１１】
前記通話電流制御装置が、
カウンタと、
前記第１の閾値を少なくとも記憶する記憶部と、
通話電流制御部と、
前記通話電流制御部からの指示を受け、対応する前記加入者回路の通話電流供給回路の設定を行う複数の制御オーダ送出部と、
を備え、
加入者端末に対応する加入者回路の回線状態監視部は、加入者端末のオフフックを検出すると、前記通話電流制御部に通知し、
前記通話電流制御部は、前記回線状態監視部からのオフフックの通知に応答して、前記カウンタのカウント値を１つカウントアップし、
前記回線状態監視部は、前記加入者端末のオンフック時に、前記通話電流制御部に通知し、
前記通話電流制御部は、前記回線状態監視部からのオンフックの通知に応答して、前記カウンタのカウント値を１つカウントダウンし、
前記通話電流制御部は、前記カウンタのカウント値が、前記記憶部に記憶される前記第１の閾値を越えたとき、通話電流制限の指示を、前記制御オーダ送出部に送出し、
前記加入者回路の通話電流供給部は、前記制御オーダ送出部からの通話電流制限の設定に基づき、加入者端末に供給する通話電流を制限する、ことを特徴とする請求項６に記載の交換機。
【請求項１２】
前記通話電流制御部は、前記カウンタのカウント値が、前記記憶部に記憶される第２の閾値を下回ったとき、通話電流制限の解除指示を、前記制御オーダ送出部に送出し、
前記加入者回路の通話電流供給部は、前記制御オーダ送出部からの通話電流制限の設定解除を受け、加入者端末に供給する通話電流の制限を解除する、ことを特徴とする請求項１１に記載の交換機。
【請求項１３】
交換機内の複数の加入者回路は共通の電力供給部から電力供給を受け、対応する複数の加入者端末に通話電流をそれぞれ供給し、前記電力供給部が複数のユニットからなる前記交換機を構成するコンピュータに、
交換機が収容する複数の加入者端末の同時オフフック数を計数するカウンタの出力と、通話電流を制限するか否かの判別に用いられる第１の閾値を記憶する記憶部とを参照し、
前記カウンタで計数された同時オフフック数が、前記第１の閾値を越えている場合、加入者端末に供給する通話電流の制限を行うように制御する処理と、
前記電力供給部の複数のユニットの障害を検出する処理と、
前記複数のユニットのうち少なくとも１つのユニットに障害発生時、前記加入者回路が、障害ユニットの電力供給量相当分を差し引いた値に対応する通話電流を、前記加入者端末に供給するように制御する処理と、
を実行させるプログラム。
【請求項１４】
請求項１３記載のプログラムにおいて、
前記カウンタの出力と、通話電流の制限を解除するか否かの判別に用いられる第２の閾値を記憶する記憶部とを参照し、通話電流が制限されている状態で、前記カウンタで計数された同時オフフック数が前記第２の閾値を下回ったとき、通話電流の制限を解除するように制御する処理を、前記コンピュータに実行させるプログラム。
【発明の詳細な説明】
【技術分野】
【０００１】
本発明は、交換機の通話電流制御方法と装置及びプログラムに関する。
【背景技術】
【０００２】
加入者交換機は、加入者回路の給電特性を制御する機能を有している。
【０００３】
典型的な通話電流の制御機能として、
・対向装置や専用線等で通話電流の制限等がある場合に、通話電流を制限する、
・低消費電力化のために線路特性に合わせて回線毎に通話電流の制限を設定する、
・リモート局等の停電時等のバッテリー電源での運用における低電力化のために、通話電流を切り替える、
等の制御が行われている。
【０００４】
また、加入者回路側での地絡等からの通話電流供給回路の保護対策のため、加入者回路単位での通話電流の制限が行われている。
【０００５】
加入者端末の一斉発呼に対応して、給電特性を低消費電力に変更する構成として、例えば特許文献１に開示されている。特許文献１においては、電流供給回路が、電話機への電流供給機能のほかに、加入者線の状態を監視して出力し、制御回路からの入力情報に応じて、電話機への給電特性を変更する機能を備えている。さらに、複数の電流供給回路の状態を監視する監視回路と、監視回路の出力情報を入力し、すべての電流供給回路の状態を判定し、設定された閾値を超えたとき、電流供給回路の特性を変更する制御回路を備え、複数個の電流供給回路の状態をモニタし、全体の消費電力を推定し、過大なときには、給電特性を低消費電力に切り換える結果、一斉発呼のような場合でも、全体の消費電力を低い値に抑えることを可能としている。
【０００６】
また、加入者端末の種別に応じて、供給電流を可変させる構成として、特許文献２には、複数の加入者端末を収容する交換機において、加入者端末毎に設けられる加入者回路が、加入者端末から出力される所定の周波数信号を検出して加入者端末の種類を判別し、判別結果に応じて、加入者端末に供給する直流電流を変化させる構成が開示されている。特許文献２においては、例えば加入者端末が給電電流が少なくて済むモデム等に電流を供給する場合、その給電電流を少なくしている。
【０００７】
さらに、特許文献３には、複数の加入者回路を収容する加入者交換機の加入者回路において、加入者回路毎に、通話電流制御回路を設け、加入者回路の通話状態を監視する加入者状態監視回路を備え、加入者状態監視回路の出力信号を識別する加入者回路制御回路を接続し、加入者回路制御回路の出力信号を通話電流制御回路に接続し、未通話の加入者回路を閉塞し、加入者回路における総発熱量を抑制する方式が開示されている。特許文献３において、加入者回路制御回路は、加入者状態信号を識別し、同一ユニット内の加入者の同時通話状態が一定基準以上になると、加入者回路制御回路から通話中以外の加入者回路の通話電流制御回路へ通話電流停止信号を送出し、通話電流停止信号を受けた通話電流制御回路は電源より供給されている通話電流の供給を停止し、一時的に、通話中以外の加入者の発信を不能にする。
【０００８】
なお、接続端末数に応じて給電制御を行う構成として、特許文献４には、各端末から通知された最大消費電流値を用いて過電流制限値が算出され、過電流制限値と給電電流値との比較結果に基づき、給電停止の要否を判断する構成が開示されている。
【０００９】
【特許文献１】特開昭５９−８１９６０号公報
【特許文献２】特開平１１−２１５２６９号公報
【特許文献３】特開昭５８−６４８５７号公報
【特許文献４】特開２００６−５０８５０号公報
【発明の開示】
【発明が解決しようとする課題】
【００１０】
以下は本発明者達の検討内容である。
【００１１】
上記いずれの通話電流の制御においても、複数の加入者端末の同時オフフック（ＯＦＦ  ＨＯＯＫ）数によって通話電流を制御する構成とはされていない。
【００１２】
例えば、加入者交換機の収容加入者数とトラヒック量を事前に予測し、該予測に基づき電力設備を配備した場合について検討する。
【００１３】
この場合、予測されたトラヒック量に基づき配備された電力設備の能力を超えたバースト的な呼が発生した際には、最悪、システムダウンを引き起こす可能性がある（第１の課題）。
【００１４】
また、予測されたトラヒック量の変動が大きい場合には、第１の課題のシステムダウンを回避するために、最大トラヒック量を考慮した電力容量が必要とされる。
【００１５】
しかしながら、電力設備配備後、実際のトラヒック量の変動が予測を下回ると、余剰な設備が生じる結果となり、経済性、装置構成上に問題がある（第２の課題）。
【００１６】
また、昨今のダイアルアップやｘＤＳＬ（ｘＤｉｇｉｔａｌ  Ｓｕｂｓｃｒｉｂｅｒ  Ｌｉｎｅ）を中心とした加入者交換機経由でのインターネットアクセスの増加が、平均保留時間を増加させたように、従来の音声トラヒックを想定していた交換機での通話電流の制御機能のみならず、今後のニーズにフレキシブルに対応できる通話電流の制御が提供されるべきである（第３の課題）。
【００１７】
したがって、本発明の目的は、上記課題に鑑みて創案されたものであって、その目的は、加入者端末への最大通話電流を加入者端末のオフフック数と連動して制御することで、電力設備、電力容量の適正化を可能とする、通話電流制御方法と装置ならびにプログラムを提供することにある。
【課題を解決するための手段】
【００１８】
本発明の１つの側面（アスペクト）に係る方法において、交換機が収容する複数の加入者端末の同時オフフック数を集計し、複数の加入者端末の同時オフフック数が予め定められた第１の閾値を越えている場合、加入者端末に供給する通話電流の制限を行う。
【００１９】
本発明に係る方法において、通話電流が制限された状態で、複数の加入者端末の同時オフフック数が予め定められた第２の閾値を下回った場合、通話電流の制限を解除する、ようにしてもよい。
【００２０】
本発明に係る方法において、前記第１の閾値は、前記第２の閾値よりも大である（ヒステリシスを設ける）か、前記第２の閾値と等しい。
【００２１】
本発明に係る方法において、通常通話電流のほかに、最大電流が通常通話電流特性よりも小さく設定された特性の通話電流（「最大通話電流制限通話電流」という）を用意しておき、同時オフフック数が前記第１の閾値を越えている場合、加入者端末に最大通話電流制限通話電流を供給する。
【００２２】
本発明に係る方法において、加入者端末に供給する通話電流を、互いに電流値が異なる複数種用意しておき、複数の加入者端末の同時オフフック数に応じて、段階的に、通話電流を変更するようにしてもよい。
【００２３】
本発明に係る方法において、前記交換機内の複数の加入者回路は、共通の電力供給部から電力供給を受け、対応する複数の加入者端末に通話電流をそれぞれ供給するようにしてもよい。
【００２４】
本発明に係る方法において、前記電力供給部を構成する複数のユニットのうち少なくとも１つのユニットに障害発生時、障害ユニットの電力供給量相当分を差し引いた値に対応する通話電流を、加入者端末に供給する、ようにしてもよい。
【００２５】
本発明の他の側面に係る通話電流制限装置において、交換機が収容する複数の加入者端末の同時オフフック数を集計する手段と、複数の加入者端末の同時オフフック数が予め定められた第１の閾値を越えている場合、加入者端末に供給する通話電流の制限を行う手段と、を備える。
【００２６】
本発明に係る通話電流制限装置において、通話電流が制限されている状態で、複数の加入者端末の同時オフフック数が予め定められた第２の閾値を下回った場合、通話電流の制限を解除する手段を備えている。
【００２７】
本発明に係る通話電流制限装置において、通常通話電流のほかに、最大電流が通常通話電流特性よりも小さく設定された特性の通話電流（「最大通話電流制限通話電流」という）を用意しておき、同時オフフック数が前記第１の閾値を越えている場合、加入者端末に最大通話電流制限通話電流を供給するようにしてもよい。
【００２８】
本発明に係る通話電流制限装置において、加入者端末に供給する通話電流を、互いに電流値が異なる複数種用意しておき、複数の加入者端末の同時オフフック数に応じて、段階的に、通話電流を変更する構成としてもよい。
【００２９】
本発明に係る交換機は、上記本発明に係る通話電流制限装置を備える。
【００３０】
本発明に係る交換機において、複数の加入者端末に対して通話電流の供給をそれぞれ行う複数の加入者回路と、前記複数の加入者回路に対して共通に設けられた電力供給部と、を備え、前記複数の加入者回路は、前記電力供給部から電力供給を受け、対応する複数の加入者端末に通話電流をそれぞれ供給する。
【００３１】
本発明に係る交換機において、前記通話電流制御装置は、カウンタと、前記第１の閾値を少なくとも記憶する記憶部と、通話電流制御部と、前記通話電流制御部からの指示を受け、対応する前記加入者回路の通話電流供給回路の設定を行う複数の制御オーダ送出部と、を備えている。
【００３２】
本発明に係る交換機において、加入者端末に対応する加入者回路の回線状態監視部は、加入者端末のオフフックを検出すると、前記通話電流制御部に通知し、前記通話電流制御部は、前記回線状態監視部からのオフフックの通知に応答して、前記カウンタのカウント値を１つカウントアップする。前記回線状態監視部は、前記加入者端末のオンフック（ＯＮ  ＨＯＯＫ）時に、前記通話電流制御部に通知し、前記通話電流制御部は、前記回線状態監視部からのオンフックの通知に応答して、前記カウンタのカウント値を１つカウントダウンする。前記通話電流制御部は、前記カウンタのカウント値が、前記記憶部に記憶される前記第１の閾値を越えたとき、通話電流制限の指示を、前記制御オーダ送出部に送出し、前記加入者回路の通話電流供給部は、前記制御オーダ送出部からの通話電流制限の設定に基づき、加入者端末に供給する通話電流を制限する。
【００３３】
本発明に係る交換機において、前記通話電流制御部は、前記カウンタのカウント値が、前記記憶部に記憶される第２の閾値を下回ったとき、通話電流制限の解除指示を、前記制御オーダ送出部に送出し、前記加入者回路の通話電流供給部は、前記制御オーダ送出部からの通話電流制限の設定解除を受け、加入者端末に供給する通話電流の制限を解除する構成としてもよい。
【００３４】
本発明に係る交換機において、前記電力供給部が複数のユニットからなり、前記電力供給部の複数のユニットの障害を検出する手段を備え、前記電力供給部の少なくとも１つのユニットに障害発生時、前記加入者回路は、障害ユニットの電力供給量相当分を差し引いた値に対応する通話電流を加入者端末に供給する構成としてもよい。
【００３５】
本発明の他の側面に係るコンピュータプログラムは、交換機が収容する複数の加入者端末の同時オフフック数を計数するカウンタの出力と、通話電流を制限するか否かの判別に用いられる第１の閾値を記憶する記憶部とを参照し、前記カウンタで計数された同時オフフック数が、前記第１の閾値を越えている場合、加入者端末に供給する通話電流の制限を行うように制御する処理を、コンピュータに実行させるプログラムよりなる。
【００３６】
本発明に係るプログラムは、前記カウンタの出力と、通話電流を制限を解除するか否かの判別に用いられる第２の閾値を記憶する記憶部とを参照し、通話電流が制限されている状態で、前記カウンタで計数された同時オフフック数が前記第２の閾値を下回ったとき、通話電流の制限を解除するように制御する処理を、前記コンピュータに実行させるプログラムよりなる。
【発明の効果】
【００３７】
本発明によれば、加入者端末への最大通話電流を加入者端末のオフフック数と連動して制御することで、電力設備、電力容量の適正化を実現可能としている。
【発明を実施するための最良の形態】
【００３８】
上記した本発明についてさらに詳細に説述すべく添付図面を参照して実施例を説明する。本発明は、加入者交換機において、通話電流制御部は、加入者端末のオフフック数に基づき、加入者回路の通話電流供給回路を制御し、収容している加入者端末への最大通話電流を制御する。加入者端末への最大通話電流を端末のオフフック数と連動して制御することで、電力供給部の電力容量を適正化することができる。
【実施例】
【００３９】
図１は、本発明の第１の実施例のシステム構成を示す図である。図１を参照すると、複数の加入者端末（アナログ端末）を収容する交換機は、加入者端末２−１、２−２、・・・２−ｎ（ただし、ｎは２以上の整数）と加入者線３−１、３−２、・・・３−ｎで接続され、それぞれが通話電流供給回路１１と回線状態監視部１２を備えた加入者回路１−１、１−２、・・・１−ｎと、加入者回路１−１、１−２、・・・１−ｎの通話電流供給回路１１に電力を供給する電力供給部４と、加入者回路１−１、１−２、・・・１−ｎの回線状態監視部１２からの監視結果を受け取る通話電流制御部７と、同時オフフック数に関する閾値を記憶するオフフック閾値記憶部８と、アップダウンカウンタよりなるオフフックカウンタ５と、通話電流制御部７からの指示（最大通話電流設定オーダ）を受け、該オーダをそれぞれ加入者回路１−１、１−２、・・・１−ｎの通話電流供給回路１１に送出する制御オーダ送出部６−１、６−２、・・・６−ｎを備えている。
【００４０】
加入者回路１−１、１−２、・・・１−ｎの通話電流供給回路１１は、電力供給部４から供給される通話電流を、対応する加入者端末２−１、２−２、・・・２−ｎにそれぞれ供給する。
【００４１】
加入者回路１−１、１−２、・・・１−ｎの回線状態監視部１２は、対応する加入者線３−１、３−２、・・・３−ｎの状態をそれぞれ監視し、加入者線３−１、３−２、・・・３−ｎにそれぞれ流れるループ電流を検出し、ループ電流が一定の電流値以上である場合、オフフックとみなし、検出結果を、通話電流制御部７に通知する。
【００４２】
制御オーダ送出部６−１、６−２、・・・６−ｎは、通話電流制御部７からの最大通話電流設定オーダに基づき、加入者回路１−１、１−２、・・・１−ｎの通話電流供給回路１１へ、最大通話電流設定値を送出する。
【００４３】
通話電流制御部７は、加入者回路１−１、１−２、・・・１−ｎの回線状態監視部１２からのオフフック情報をオフフックカウンタ５に通知する。
【００４４】
通話電流制御部７は、オフフックカウンタ５のカウント値（オフフック数）とオフフック閾値記憶部８に保持されている最大通話電流制限起動閾値情報と最大通話電流制限解除閾値情報とから、最大通話電流設定値を判定し、制御オーダ送出部６−１、６−２、・・・６−ｎに、最大通話電流設定オーダを送出する。
【００４５】
制御オーダ送出部６−１、６−２、・・・６−ｎに送出される最大通話電流設定オーダとしては、通常の通話電流を流す通常通話電流オーダと、最大通話電流を小さくする最大通話電流制限オーダとを有する。
【００４６】
オフフック閾値記憶部８は、最大通話電流制限機能を有効にするためのオフフック数の閾値である最大通話電流制限起動閾値と、最大通話電流制限機能を無効にするオフフック数の閾値である最大通話電流制限解除閾値を記憶保持する。
【００４７】
なお、図１では、加入者回路１−１、１−２、・・・１−ｎのうち要部が示されており、本発明とは直接関係しない構成は省略されている。
【００４８】
図２は、図１に示した実施例の動作を説明する図である。以下では、３つの加入者を収容した加入者交換機として説明する。図２では、説明の簡単化のため、加入者端末を３つとした例が示されているが、本発明はかかる構成にのみ限定されるものでないことは勿論である。
【００４９】
加入者回路１−１は、加入者端末２−１に接続され、加入者回路１−１の回線状態監視部１２は、加入者の発呼のために加入者端末２−１の加入者線３−１を監視している。
【００５０】
加入者端末２−１の受話器を上げる（オフフック）と、ループが形成され、加入者回路１−１の通話電流供給回路１１から、通話電流ａが流れる。
【００５１】
加入者回路１−１の回線状態監視部１２は、通話電流ａを監視し、一定時間の通話電流ａを検出すると、通話電流制御部７に対し、オフフックが発生したことを通知する。
【００５２】
通話電流制御部７は、加入者回路１−１の回線状態監視部１２から受信したオフフック状態の通知に応答して、オフフックカウンタ５を１つ加算（インクリメント）する。
【００５３】
また、加入者端末２−１の受話器を下ろす（オンフック）と、ループが解除され、加入者回路１−１の回線状態監視部１２では、通話電流ａを検出できなくなり、一定時間の通話電流ａが検出されない場合、オンフックと判断する。加入者回路１−１の回線状態監視部１２は、通話電流制御部７に対してオンフックが発生したことを通知する。
【００５４】
通話電流制御部７は、加入者回路１−１の回線状態監視部１２から受信したオンフック状態の通知に応答して、オフフックカウンタ５を１つ減算（デクリメント）する。
【００５５】
加入者端末２−１への着呼においても、加入者端末２−１の受話器が上がる（オンフック）と、ループが形成され、通話電流ａが流れ、加入者回路１−１の回線状態監視部１２がオフフック状態と判断し、通話電流制御部７に対して、オフフックが発生したことを通知する。
【００５６】
この時も、通話電流制御部７は、加入者回路１−１の回線状態監視部１２から受信したオフフック状態の通知に応答して、オフフックカウンタ５を１つ加算する。
【００５７】
加入者回路１−２、加入者回路１−３も、加入者回路１−１と同様な動作により、それぞれ、加入者端末２−２、２−３の回線状態に基づいて、通話電流制御部７に対してオフフック状態、オンフック状態を通知する。この結果、通話電流制御部７は、収容する全ての加入者端末２−１、２−２、２−３の同時オフフック数を認識（監視）することができる。
【００５８】
オフフック閾値記憶部８は、
・通話電流制限の起動のためのオフフック数の第１の閾値（「通話電流制限起動閾値」という）と、
・通話電流制限の解除のためのオフフック数の第２の閾値（「通話電流制限解除閾値」という）を保持している。
【００５９】
これらの閾値は、加入者の収容数と電源容量、予測されるトラヒック数を基に、局状に合わせて設定されるが、好ましくは、
［最大通話電流制限起動閾値］  ＞  ［最大通話電流制限解除閾値］  ・・・（１）
の関係に設定される。
【００６０】
また、通話電流制御部７は、最大通話電流制限の起動状態を保持している。すなわち、加入者端末に最大通話電流制限オーダを送出済みであるか否かの状態を例えばフラグとして保持する。
【００６１】
最大通話電流制限が起動されていない場合には、オフフックカウンタ５に保持されている全加入者端末のオフフックの総計と、オフフック閾値記憶部８に保持されている最大通話電流制限起動閾値を比較し、
［全加入者端末のオフフック数］  ＞  ［最大通話電流制限起動閾値］  ・・・（２）
の場合、最大通話電流制限を起動する。
【００６２】
最大通話電流制限の起動時には、通話電流制御部７から、制御オーダ送出部６−１、６−２、６−３に対して、最大通話電流制限オーダを送出する。
【００６３】
最大通話電流制限オーダを受信した制御オーダ送出部６−１、６−２、６−３は、それぞれ加入者回路１−１、１−２、１−３の通話電流供給回路１１に対して、予め定められた最大通話電流設定値を送出する。
【００６４】
加入者回路１−１、１−２、１−３の通話電流供給回路１１は、対応する制御オーダ送出部６−１、６−２、６−３からの最大通話電流設定値に基づき、対応する加入者端末２−１、２−２、２−３に対して、最大通話電流が小さい給電特性の通話電流（例えば図５の最大通話電流制限特性参照）をそれぞれ供給する。
【００６５】
以降、最大通話電流制限が解除されるまで、加入者回路１−１、１−２、１−３の通話電流供給回路１１は、対応する加入者線３−１、３−２、３−３に対して最大通話電流が制限された通話電流が供給される。
【００６６】
また、この時、
［通常の通話電流値］  ＞  ［最大通話電流制限用通話電流値］      ・・・（３）
の関係が保たれている。
【００６７】
図５に、通話電流特性の一例を示す。図５において、横軸は、加入者線路抵抗＋電話機オフフック抵抗であり、縦軸は通話電流である。最大通話電流が制限された特性においては、最大の通話電流は、通常通話電流特性の通話電流よりも小とされる。
【００６８】
最大通話電流制限が起動されている場合には、オフフックカウンタ５に保持されている全加入者端末のオフフック数と、オフフック閾値記憶部８に保持されている最大通話電流制限起動閾値を比較し、
［全加入者端末のオフフック数］  ＜  ［最大通話電流制限解除閾値］  ・・・（４）
となった際に、最大通話電流制限解除を起動する。
【００６９】
最大通話電流制限の解除時には、通話電流制御部７から、制御オーダ送出部６−１、６−２、６−３に対し、通常通話電流オーダを送出する。
【００７０】
通常通話電流オーダを受信した制御オーダ送出部６−１、６−２、６−３は、それぞれ加入者回路１−１、１−２、１−３の通話電流供給回路１１に対して、通常の通話電流送出指示を出力する。加入者回路１−１、１−２、１−３の通話電流供給回路１１は、対応する加入者端末２−１、２−２、２−３に対して、通常の通話電流をそれぞれ供給する。
【００７１】
以降、通話電流制限が起動されるまで、加入者回路１−１、１−２、１−３の通話電流供給回路１１は加入者回線に対し、通常の通話電流を供給する。
【００７２】
図３は、本実施例における通話電流制御部７の判定処理を説明するフローチャートである。通話電流制御部７が制御動作を開始する（Ｓ１）。
【００７３】
オフフックカウンタ５で全加入者端末のオフフック数をカウントし（Ｓ２）、
［全加入者端末のオフフック数］  ＞  ［最大通話電流制限起動閾値］
の場合（Ｓ３のＹｅｓ）、通話電流制御部７は、最大通話電流制限オーダを送出する（Ｓ４）。
【００７４】
最大通話電流制限が起動されている場合、
［全加入者端末のオフフック数］  ＜  ［最大通話電流制限解除閾値］
のとき（Ｓ５のＹｅｓ）、通話電流制御部７は、通常通話電流制限オーダを送出する（Ｓ６）。
【００７５】
本実施例においては、以下の作用効果を奏する。
【００７６】
予測されたトラフィック量に基づき配備された電力設備の能力を超えたバースト的な呼に対しても、耐え得る可用性の高い交換システムを提供出来る。
【００７７】
トラフィック量の変動が大きい場合にも、最大トラフィック量を考慮した電力容量を必要としない。このため、余剰な電力配備が不要となり、経済的効果や装置構成の簡略化をもたらす。
【００７８】
なお、図１に示した実施例では、ｎ台の加入者端末２−１〜２−ｎとｎ台の加入者回線３−１〜３−ｎを収容する加入者交換機の構成が示されているが、本発明は、加入者端末の数と加入者交換機の加入者回路の収容数に制限を設けるものではない。また、図３を参照して説明した通話電流制御部７の制御手順は、コンピュータ上で動作するプログラム制御によって実現してもよいことは勿論である。この場合、オフフックカウンタ５はコンピュータのソフトウエア（メモリ又はレジスタ）で実現してもよい。
【００７９】
次に、本発明の第２の実施例を説明する。本発明の第２の実施例の基本構成は、前記第１の実施例と同様であるが、オフフック閾値記憶部の機能について、設定される通話電流制限閾値として、以下のような例も挙げられる。
【００８０】
［最大通話電流制限起動閾値］  ＝  ［最大通話電流制限解除閾値］    ・・・（５）
【００８１】
最大通話電流制限閾値において、最大通話電流制限の起動と解除を１つの閾値とすることで、最大通話電流制限閾値近傍のオフフック数の加入者が通話中の場合に、新たなオフフック、オンフックが発生することで、最大通話電流制限の起動と解除が頻繁に切り替わり、通話中の加入者の通話品質に影響を及ぼす可能性がある。
【００８２】
そこで、最大通話電流制限起動閾値と最大通話電流制限解除閾値に、式（６）のように、差を持たせ、ヒステリシスな動作をさせる前記実施例の方が、動作安定性、通話品質の点で、好ましい。
【００８３】
［最大通話電流制限起動閾値］  ＞  ［最大通話電流制限解除閾値］    ・・・（６）
【００８４】
次に、本発明の第３の実施例を説明する。本実施例の基本構成は、前記第１の実施例と同様であるが、通話電流を、互いに電流値が異なる例えばＮ種類用意し、加入者のオフフック数に応じて、段階的に通話電流を変更する。
【００８５】
本実施例では、通話電流をＮ種類持つことで、段階的な通話電流の変化をもたせることが出来る。通常、通話電流に差がある程、通話品質に差を生じる。
【００８６】
本実施例においては、Ｎ種類の最大通話電流を段階的に切り替える構成としたため、最大通話電流切り替え時には、２種類のみの通話電流時の通常通話電流と最大通話電流制限用通話電流の品質の差よりも、通話品質への影響を少なくすることができる、という効果を奏する。
【００８７】
図４は、本発明の第４の実施例の構成を示す図である。図４を参照すると、本実施例では、電力供給部４をＮ重化し、障害監視部９を備えている。
【００８８】
本実施例においては、Ｎ段階の通話電流送出機能を有することで、電力供給部４の障害時に、通話電流制御部７に対し、障害監視部９が障害情報を通知する。通話電流制御部７は、電力供給部４の１つが故障した時には、通話電流を（Ｎ−１）／Ｎとし、電力供給部４の２つが故障した時には、通話電流を（Ｎ−２）／Ｎとする。本実施例によれば、電力供給部４の故障時の暫定的対応としても効果を有する。
【００８９】
本実施例において、障害監視部９、あるいは、通話電流制御部７における制御は、コンピュータ上で動作するプログラム制御によって実現してもよいことは勿論である。
【００９０】
ある固定的な加入者交換機の電力容量において、通常通話電流では許容されないトラフィック量の増加に対応するため、固定的に最大通話電流を制限する手法（比較例）も可能ではあるが、通常、近距離加入者の通話電流の低下は、通話品質の低下を引き起こすため、常用には向かず、本発明のほうが優れている。
【００９１】
なお、上記の特許文献の各開示を、本書に引用をもって繰り込むものとする。本発明の全開示（請求の範囲を含む）の枠内において、さらにその基本的技術思想に基づいて、実施形態ないし実施例の変更・調整が可能である。また、本発明の請求の範囲の枠内において種々の開示要素の多様な組み合わせないし選択が可能である。すなわち、本発明は、請求の範囲を含む全開示、技術的思想にしたがって当業者であればなし得るであろう各種変形、修正を含むことは勿論である。
【図面の簡単な説明】
【００９２】
【図１】本発明の第１の実施例の構成を示す図である。
【図２】本発明の第１の実施例を説明するための図である。
【図３】本発明の第１の実施例の通話電流制御部の動作を説明するための流れ図である。
【図４】本発明の第４の実施例の構成を示す図である。
【図５】通話電流特性を示す図である。
【符号の説明】
【００９３】
１−１〜１−ｎ  加入者回路
２−１〜２−ｎ  加入者端末
３−１〜３−ｎ  加入者線
４  電力供給部
５  オフフックカウンタ
６−１〜６−ｎ  制御オーダ送出部
７  通話電流制御部
８  オフフック閾値記憶部
９  障害監視部
１１  通話電流供給回路
１２  回線状態監視部
【図１】
0004888781.tif 000002
【図２】
0004888781.tif 000003
【図３】
0004888781.tif 000004
【図４】
0004888781.tif 000005
【図５】
0004888781.tif 000006